(57)【要約】【課題】  排気風による浮遊力が本体部に作用しても、吸込口と被掃除面との間の距離をほぼ一定に保って適切な吸込力を得ることが可能な電気掃除機を提供することである。【解決手段】  電気掃除機１００は吸気を生じさせる電動送風機１３を内蔵し、電動送風機１３からの排気風を被掃除面に向けて排出させる排気出口１６をその下面に有する本体部１と、電動送風機１３と連通して吸気により被掃除面の塵埃を吸い込む吸込口２２をその下面に有する吸込口体２とを備える。吸込口体２は、本体部１に対して上下方向に変位可能に連結されている。【選択図】        図４
2005348911.tif 000002
【特許請求の範囲】
【請求項１】
吸気を生じさせる電動送風機を内蔵し、この電動送風機からの排気風を被掃除面に向けて排出させる排気口をその下面に有する本体部と、
前記電動送風機と連通して吸気により被掃除面の塵埃を吸い込む吸込口をその下面に有する吸込口体とを備え、
前記吸込口体は、前記本体部に対して上下方向に変位可能に連結されている、電気掃除機。
【請求項２】
前記吸込口体を前記本体部に連結するための連結構造は、被掃除面上での前記本体部の移動に追随して前記吸込口体が被掃除面上を移動することができるように構成されている、請求項１に記載の電気掃除機。
【請求項３】
前記吸込口体を前記本体部に連結する連結部材をさらに備え、
前記連結部材と前記吸込口体との係合部、または、前記連結部材と前記本体部との係合部の少なくともいずれか一方において前記連結部材が回動可能に取り付けられている、請求項１または請求項２に記載の電気掃除機。
【請求項４】
前記本体部と前記吸込口体との間に配置された弾性部材をさらに備え、前記吸込口体は前記弾性部材により被掃除面に向かって付勢される、請求項１から請求項３までのいずれか１項に記載の電気掃除機。
【請求項５】
前記吸込口体は、前記排気口から排出された排気風の少なくとも一部を回収する排気通路を有し、前記排気通路は前記吸込口に連通するように構成されている、請求項１から請求項４までのいずれか１項に記載の電気掃除機。
【請求項６】
前記本体部に対して回動可能に取り付けられた操作用把持部と、
前記吸込口を通じて吸い込まれた吸気から塵埃を分離して収容する集塵室とをさらに備え、
前記集塵室は前記操作用把持部に配置されている、請求項１から請求項５までのいずれか１項に記載の電気掃除機。
【請求項７】
前記操作用把持部は回動軸を介して前記本体部に取り付けられ、前記回動軸の内部に吸気通路が形成されており、前記吸気通路は、前記吸込口体より吸い込まれた吸気を前記集塵室に導くための経路と前記集塵室より排出された吸気を前記電動送風機に導くための経路との少なくとも一部を形成する、請求項６に記載の電気掃除機。
【請求項８】
前記本体部に対して回動可能に取り付けられた操作用把持部と、
前記本体部への前記操作用把持部の取付部付近に配置され、前記本体部を支持する車輪とをさらに備える、請求項１から請求項７までのいずれか１項に記載の電気掃除機。
【請求項９】
前記本体部の前端部と後端部に配置された車輪をさらに備える、請求項１から請求項７までのいずれか１項に記載の電気掃除機。
【発明の詳細な説明】
【技術分野】
【０００１】
本発明は、一般的には電気掃除機に関し、特定的には排気により床面から浮上する本体部と、この本体部と連通する吸込口体とを備えた浮上式電気掃除機に関する。
【背景技術】
【０００２】
従来の電気掃除機は、たとえば、特開平１１−１５５７７１号公報（特許文献１）に記載されている。図１５は、上記公報に記載された電気掃除機を示す概略的な断面図である。
【０００３】
図１５に示すように、電気掃除機は、電動送風機１０１を収容した本体部１０と、電動送風機１０１の負圧側に連通する吸込口１０２と、本体部１０の下面に開口され、電動送風機１０１の正圧側に連通して排気風を排出する排気口１０３とを備える。スカート部１０５は、本体部１００の下面において吸込口１０２と排気口１０３との間に位置して排気口１０３を囲んで設けられ、被掃除面１０４との間に排気風を通過させて本体部１０に浮遊力を作用させる。車輪１０７は、水平方向に沿った回転軸１０６にて回転自在に軸支されている。長手状の操作体１０８は、一端部に把持部を有し、他端側が車輪１０７の上方に位置して把持部が上下方向に回動自在になるように本体部１０に取り付けられている。
【特許文献１】特開平１１−１５５７７１号公報
【発明の開示】
【発明が解決しようとする課題】
【０００４】
しかしながら、図１５に示す従来の電気掃除機の構成では、本体部と吸込口体が一体に構成されている。このため、本体部の浮遊に伴って、吸込口は被掃除面より浮き上がってしまう。これにより、掃除機の吸込力が低下する傾向があった。
【０００５】
また、従来の電気掃除機の構成では、集塵室が本体部に設置されているため、本体が大型化する。これにより、従来の電気掃除機を操作し難いという問題があった。
【０００６】
そこで、本発明の一つの目的は、排気風による浮遊力が本体部に作用しても、吸込口と被掃除面との間の距離をほぼ一定に保って適切な吸込力を得ることが可能な電気掃除機を提供することである。
【０００７】
また、本発明のもう一つの目的は、小型で操作性のよい電気掃除機を提供することである。
【課題を解決するための手段】
【０００８】
この発明に従った電気掃除機は、吸気を生じさせる電動送風機を内蔵し、この電動送風機からの排気風を被掃除面に向けて排出させる排気口をその下面に有する本体部と、電動送風機と連通して吸気により被掃除面の塵埃を吸い込む吸込口をその下面に有する吸込口体とを備える。吸込口体は、本体部に対して上下方向に変位可能に連結されている。
【０００９】
本発明の電気掃除機によれば、吸込口体は本体部に対して上下方向に変位可能に連結されているため、本体部が排気圧力により浮上しても、吸込口体は被掃除面と吸込口体との間の距離をほぼ一定に保つことができ、適切な吸込力を確保できる。
【００１０】
この発明に従った電気掃除機において、吸込口体を本体部に連結するための連結構造は、被掃除面上での本体部の移動に追随して吸込口体が被掃除面上を移動することができるように構成されているのが好ましい。
【００１１】
このように構成することにより、本体部と吸込口体との間の距離をほぼ一定に保つことができるとともに、本体部の操作時に吸込口体の円滑な動きを実現できる。
【００１２】
また、この発明に従った電気掃除機は、吸込口体を本体部に連結する連結部材をさらに備え、連結部材と吸込口体との係合部、または、連結部材と本体部との係合部の少なくともいずれか一方において連結部材が回動可能に取り付けられているのが好ましい。
【００１３】
このように構成することにより、連結部材が本体部または吸込口体の係合部を中心に回動するので、本体部と吸込口体との間の距離をほぼ一定に保つことができ、本体部の操作時に吸込口体のより円滑な動きを実現できる。さらに、連結部と吸込口体との係合部、または、連結部材と本体部の係合部を回動自在とすることにより、本体部が浮上する際に吸込口と床面との平行度を維持することができるので、上記の構成は適切な吸込力を確保するのに有効に作用する。
【００１４】
さらに、この発明に従った電気掃除機は、本体部と吸込口体との間に配置された弾性部材をさらに備え、吸込口体は弾性部材により被掃除面に向かって付勢されるように構成されるのが好ましい。
【００１５】
この場合、吸込口体は、本体部との間に配置された弾性部材により下方に付勢されているので、カーペット等の被掃除面に対しても吸込口が密着するようにでき、吸込能力が低減するのを防止することができる。
【００１６】
この発明に従った電気掃除機においては、吸込口体は、排気口から排出された排気風の少なくとも一部を回収する排気通路を有し、排気通路は吸込口に連通するように構成されているのが好ましい。
【００１７】
このように吸込口体に排気通路を設けることによって、本体部からの排気が吸込口体の下面を通過することに起因して吸込口体が被掃除面から浮き上がるのを防止でき、吸込能力を安定させることができる。
【００１８】
また、この発明に従った電気掃除機は、本体部に対して回動可能に取り付けられた操作用把持部と、吸込口を通じて吸い込まれた吸気から塵埃を分離して収容する集塵室とをさらに備え、集塵室は操作用把持部に配置されているのが好ましい。
【００１９】
このように集塵室を操作用把持部に設けることによって、本体部を小型化することができ、操作性を向上させることができる。
【００２０】
上記のように構成された電気掃除機において、操作用把持部は回動軸を介して本体部に取り付けられ、回動軸の内部に吸気通路が形成されており、吸気通路は、吸込口体より吸い込まれた吸気を集塵室に導くための経路と集塵室より排出された吸気を電動送風機に導くための経路との少なくとも一部を形成するのが好ましい。
【００２１】
このように構成することにより、操作用把持部と本体部とを連通する管部材を別途設ける必要がなく、電気掃除機全体を軽量化することができる。
【００２２】
また、この発明の電気掃除機は、本体部に対して回動可能に取り付けられた操作用把持部と、本体部への操作用把持部の取付部付近に配置され、本体部を支持する車輪とをさらに備えるのが好ましい。
【００２３】
この場合、操作用把持部の取付部付近に車輪を設置することにより、本体部の電源を停止して、本体部が被掃除面から浮上していない状態でも、上記の車輪により本体部を被掃除面上で円滑に移動させることができる。
【００２４】
この発明の電気掃除機は、本体部の前端部と後端部に配置された車輪をさらに備えてもよい。
【００２５】
この場合、本体部の前後に車輪を設置しているので、電機掃除機の運転中に操作用把持部に対して無理な荷重が加わった際にも車輪がまず被掃除面に接触するので、本体部の操作性が悪くなることはない。
【発明の効果】
【００２６】
以上のように本発明によれば、排気風による浮遊力が本体部に作用しても、吸込口と被掃除面との間の距離をほぼ一定に保って適切な吸込力を得ることができる。
【発明を実施するための最良の形態】
【００２７】
以下、本発明の電気掃除機の実施の形態について図面に基づいて説明する。以下の説明においては、電気掃除機の使用者が把持部を操作して掃除を行う場合に使用者が電気掃除機の本体部を押す方向を前方、その反対方向を後方、その際に使用者の右側の位置を右と定義することとする。
【００２８】
図１〜図４は本発明の第１の実施の形態における電気掃除機の概略構成を示す。図１は本発明の第１の実施の形態の電気掃除機を右前方から見た斜視図、図２は本発明の第１の実施の形態の電気掃除機を右後方から見た斜視図、図３は図１と図２に示す電気掃除機の水平方向に沿った断面の一部を示す横断面図、図４は図１と図２に示す電気掃除機の垂直方向に沿った側断面の一部を示す側断面図、図５は図４の符号２４で示す部分を拡大して示す部分拡大側断面図である。
【００２９】
図１と図２に示すように、本実施形態における電気掃除機１００は、主として、本体部１と、吸込口体２と、操作用把持部３とから構成される。
【００３０】
図１と図２に示すように、本体部１は、その外郭をカバー体１１にて覆われている。図３と図４に示すように、本体部１は、その内部に、吸気を発生させる電動送風機１３と、電動送風機１３によって発生した気流により吸い込まれた塵埃を収容する集塵室１４と、電動送風機１３からの排気流を送風機室出口１８を通じて一時収容し、本体外部への排気流の圧力を均一化させる均圧室１５とを備えている。本体部１には、均圧室１５にてその圧力が均一化された排気流を被掃除面としての床面４に吹き付けるように本体外部へ排出する排気出口１６が設けられている。
【００３１】
図４に示すように、吸込口体２は、その下面に、床面４に向けて開口され、電動送風機１３により発生した吸気によって床面４の塵埃を吸い込む吸込口２２を備えている。図３に示すように、吸込口体２と本体部１との間には、吸込口２２より吸い込まれた塵埃を吸気とともに集塵室１４へと運ぶ吸気経路１２が設けられている。また、吸気経路１２の吸込口体２２側の端部と吸込口体２とは、接続部２１にて回動自在に接続されている。さらには、図４に示すように、吸込口体２の下方後端部にはその走行性を向上させるための車輪２３が設けられている。
【００３２】
図２に示すように、操作用把持部３は、電気掃除機を操作するために使用者が把持するハンドル部（図示せず）と、ハンドル部を操作するために加えられる力を本体部１に伝達する延長管３１と、本体部１に対してハンドル部および延長管３１を回動可能に嵌合してなる回動部３２とを備えている。さらに、回動部３２の後方には本体部１が非浮上時の場合においても操作性を損なわないように、車輪３３が設けられている。
【００３３】
上述のように構成された電気掃除機１００において本体部１と、吸込口体２と、操作用把持部３とのそれぞれの連結構造について説明する。
【００３４】
まず、本体部１と吸込口体２との連結構造について説明する。図１〜図３に示すように吸込口体２は本体部１の前方に配置される。図５に示すように、保持部２５と係止部２６とを係合させることにより、連結部２４が構成されている。図３に示すように、保持部２５は、本体部１の前端面の中央部に設けられ、ほぼＵ字形状を有するリブである。係止部２６は、図３に示すように吸込口体２の後端面の中央部に設けられ、図４と図５に示すようにほぼ逆Ｌ字形状を有するリブである。
【００３５】
このように構成された連結部２４においては、図５に示すように保持部２５のＵ字形状の上面である保持部上面２７ａと、係止部２６において吸込口体２の後端面からほぼ水平方向に突出した水平部の下面である係止部下面２８との間には、垂直方向または鉛直方向に沿って所定の間隔が設けられている。このため、本体部１に対して吸込口体２は、垂直方向または鉛直方向に対して変位可能となっている。また、保持部下面２７ｂと、係止部２６のほぼ垂直方向またはほぼ鉛直方向に伸びる垂直部の下端部２９との間にも、垂直方向または鉛直方向に沿って所定の間隔を設けることにより、段差のある床面４を掃除する際に連結部２４が外れるのを防止することができる。
【００３６】
なお、上記の実施形態の連結部の構成に代えて、係止部がＬ字形状を有し、この係止部をＵ字形状の保持部に下方より係合させるようにしてもよく、または、本体部側にＬ字形状または逆Ｌ字形状の係止部を設け、吸込口体側にＵ字形状の保持部を設けてもよい。
【００３７】
次に、本体部１と操作用把持部３との連結構造について説明する。操作用把持部３は、図１と図２に示すように本体部１の後方に配置され、図３と図４に示すように、一端に操作用把持部３のハンドル部（図示せず）を、他端に回動軸３４が設けられている。回動軸３４を本体部１の後端部に設けられた軸受部３５（図３に示す斜線部）に嵌合させることにより、回動部３２が構成されている。このようにして回動部３２において、ハンドル部が高低方向に回動軸３４の周りに回動可能になるように操作用把持部３は本体部１に連結されている。
【００３８】
以上のように構成された電気掃除機１００の動作について説明する。
【００３９】
電気掃除機の図示しない電源スイッチがオンにされると、電動送風機１３により吸気が発生し、その吸気により床面４より吸い込まれた塵埃を含んだ吸気流は、吸込口２２から吸気吸込室３０を通過し、吸気経路１２を経て、集塵室１４へと流入する。ここで吸気流に含まれた塵埃は集塵室１４の出口に設けられた除塵フィルタ１７の作用によって除去され、清浄化された吸気流が電動送風機１３へと流入する。電動送風機１３を通過した後、排出される排気流は、送風機室出口１８を通って均圧室１５へと流れ込む。そして、均圧室１５にて一旦蓄積された排気流は、排気出口１６より床面に対して均一に吹き付けられて、本体部１を浮上させる。この際、保持部上面２７ａと係止部下面２８との間、および、保持部下面２７ｂと下端部２９との間に所定の空間が設けられることにより、吸込口体２は本体部１に対して上下方向に対して変位可能に連結されているので、吸込口体２は浮上することなく、床面４との距離はほぼ一定に保たれ、吸込口２２からの吸い込み能力が低減することはない。
【００４０】
また、本体部１の下方に設けられた車輪３３は、本体部１が排気により浮上している場合に床面４より浮き上がるように設置されていれば、運転時における操作性を阻害することはない。さらに、車輪３３を回動部３２よりも後方かつ下方に取り付けているので、電動送風機１３が作動していない等、本体部１が床面４より浮き上がっていない場合においても車輪３３が床面４に接触しているので、円滑に電気掃除機を移動させることができる。この場合、少なくとも車輪３３が本体部１への操作用把持部３の取付部付近に配置されていれば、上記の作用効果を達成することができる。
【００４１】
以下の説明においては第１の実施の形態と異なる構成と作用についてのみ説明する。
【００４２】
図６と図７は本発明の第２の実施の形態における電気掃除機２００の概略構成を示す。図６は本発明の第２の実施の形態の電気掃除機の非運転時における右側面図、図７は本発明の第２の実施の形態の電気掃除機の浮上時における右側面図である。
【００４３】
本実施形態においては、図６に示すように、本体部１と吸込口体２との連結構造は、本体部１の右側面部に設けられた本体連結軸４１と、吸込口体２の右側面部に設けられた吸込連結軸４２と、これらの双方の軸に対してそれぞれ回動可能に取り付けられるとともに本体部１と吸込口体２とを連結する連結体４３とから構成される。
【００４４】
以上のように構成された電気掃除機２００においては電動送風機（図示せず）が作動すると、図７に示すように、図示しない排気出口からの排気流４４が矢印で示すように排出することにより本体部１が浮上する。この際、本体部１の浮上に伴い、連結体４３は本体連結軸４１と吸込連結軸４２を中心にして回動するので、吸込口体２は浮上することなく、床面４に接触した状態を維持することができるとともに、本体部１と吸込口体２との間の距離をほぼ一定にすることができる。また、連結体４３は本体連結軸４１と吸込連結軸４２において回動可能であるので、吸口本体部２は床面４に対して浮き上がることなく、良好な吸込力を維持することができる。
【００４５】
図８は本発明の第３の実施の形態の電気掃除機３００の垂直方向に沿った側断面の一部を示す側断面図である。
【００４６】
本実施形態においては、本体部１の上面を形成するカバー体５１は、吸込口体２の上部を覆うように前方に大きく拡張されている。吸込口体２の上面に上方へ向けて凸形状を有する下弾性体係止部５２と、その上方かつカバー体５１の下面に下方へ向けて凸形状を有する上弾性体係止部５３とが本体部１と吸込口体２との間に配置されている。このとき、下弾性体係止部５２と上弾性体係止部５３とは互いに対向するように配置されている。下弾性体係止部５２と上弾性体係止部５３との間には弾性部材としてのコイルバネ５４が設けられており、下弾性体係止部５２と上弾性体係止部５３とはコイルバネ５４によってそれぞれ斥力方向に作用するように弾性支持されている。このため、被掃除面としてフローリング等を掃除する際だけでなく、たとえば、カーペット等を掃除する際に、吸込口２２と床面４との間の距離を常にほぼ一定にさせることが困難な場合であっても、吸込口体２はコイルバネ５４を介して本体部１により常に床面４へ向けて付勢されるので、吸込口２２と床面４との間の距離をほぼ一定にすることができ、床面の状況に関係なく、高い吸い込み能力を維持することができる。
【００４７】
図９は本発明の第４の実施の形態の電気掃除機４００における吸込口体の垂直方向に沿った側断面を示す側断面図である。
【００４８】
本実施形態においては、吸込口体２の下面後方には、床面４側に開口された排気収容室６１が設けられている。排気収容室６１には、吸気吸込室３０に連通する排気通路６４が設けられている。ここで、本体部１の排気口より吸込口体２側に排出された排気流６２は、矢印で示すように吸込口体２の下方空間を通り抜ける間に排気回収口６３を通って排気収容室６１に取り込まれる。排気収容室６１に取り込まれた排気流６２は、負圧である吸気吸込室３０からの吸引力により、排気通路６４より吸気吸込室３０へと流入し、本体部１に回収される。このように排気通路６４が吸込口２２と連通するようになっているため、本体部１からの排気により吸込口体２が浮き上がることなく排気流６２を回収することができ、吸込能力を安定させることができる。また、排気流６２によって吸込口体２前方の床面に存在する塵埃が吹き飛ばされるのを防止することができる。
【００４９】
図１０〜図１４は本発明の第５の実施の形態における電気掃除機の概略構成を示す。図１０は本発明の第５の実施の形態の電気掃除機を右前方から見た斜視図、図１１は本発明の第５の実施の形態の電気掃除機を左前方から見た斜視図、図１２は図１０と図１１に示す電気掃除機の垂直方向に沿った側断面を示す側断面図、図１３は図１０と図１１に示す電気掃除機の水平方向に沿った断面の一部を示す横断面図、図１４は図１０と図１１に示す電気掃除機における集塵装置周辺の垂直方向に沿った縦断面を示す縦断面図である。
【００５０】
本実施形態の電気掃除機５００においては、図１２に示すように、本体部１はその前端部および後端部にそれぞれ回動自在な車輪７４、３３を備えている。車輪７４、３３は、図示されていないが、本体部１の左右方向に複数個設けられている。また、車輪７４、３３は電動送風機１３の運転によって本体部１が浮上するのに伴い、床面４より浮き上がるように配置されている。ここで、床面４に向かう方向の大きな力が操作用把持部３のハンドル部３６に急激に加えられた場合、本体部１はこの力により床面４に押し付けられ、本体部１の浮上状態が中断して、一時的に床面４に接触する状態になる。このとき、本体部１はまず、車輪７４または車輪３３のいずれかが床面４に接触するが、車輪７４または車輪３３は床面４上を転動するので、このような場合においても良好な操作性を維持することができる。
【００５１】
また、本実施形態の電気掃除機５００においては、図１０と図１１に示すように、操作用把持部３には、吸い込まれた塵埃を集塵する集塵装置８が設けられている。図１２に示すように集塵装置８は、内部に塵埃を収容する集塵室７７と、塵埃を吸気より分離する排気筒７８と、その上方に排気筒７８の出口としての排気筒出口室７９とを備えている。
【００５２】
集塵装置８は電動送風機１３により発生する吸気流の入口と出口を有し、これらは図１０と図１１に示すように、入口部を構成する入口経路７１と、出口部を構成する出口経路７２とからなる。図１０に示すように、入口経路７１は、吸気経路１２と連通し、吸込口体２により吸い込まれた塵埃を含む吸気流を集塵装置８へと送る経路を構成している。また、図１１に示すように、出口経路７２は、本体入口７５と連通し、集塵装置８によって塵埃が除去され、清浄化した吸気流を本体部１へと導いている。このように集塵室７７を操作用把持部３に設けることによって、本体部１を小型化することができ、操作性を向上させることができる。
【００５３】
さらに、図１２に示すように操作用把持部３が本体部１に対して上下方向に回動可能になるように回動軸としての嵌合軸９は本体部１と操作用把持部３との間に嵌合している。図１３と図１４に示すように、嵌合軸９は、本体部１の吸気経路１２と本体入口７５とに対して、それぞれ、中空の右側回動軸８２と左側回動軸８３に連通可能に取り付けられるとともに、その内部に右嵌合軸室７６と左嵌合軸室８０を有する。嵌合軸９の軸方向のほぼ中間部において右嵌合軸室７６と左嵌合軸室８０とは隔壁８１によって仕切られている。また、図１４に示すように、右嵌合軸室７６はその上部が入口経路７１に対して連通するように結合され、左嵌合軸室８０はその上部が出口経路７２に対して連通するように結合されている。さらに、図１２と図１３に示すように嵌合軸９はその後方部に延長部３７を有している。延長管３１の一方端部は延長部３７に嵌合している。延長管３１の他方端部を構成するハンドル部３６を操作することにより電気掃除機を操作することができる。
【００５４】
本実施形態の電気掃除機５００においては、電気掃除機の図示しない電源スイッチがオンにされると、電動送風機１３の吸気により吸い込まれた吸気流は、吸気経路１２、右側回動軸８２を経て、右嵌合軸室７６へと流入する。右嵌合軸室７６は左嵌合軸室８０に対して嵌合軸９の軸方向のほぼ中間部において隔壁８１によって仕切られているため、吸気流はその上方にある入口経路７１へと流れ込み、集塵装置８へと送られる。集塵装置８に入った吸気流はまず、集塵室７７から排気筒７８を通って、排気筒出口室７９へと流れ込むが、この際、排気筒７８により吸気流から塵埃が除去される。塵埃が除去され、清浄化された排気筒出口室７９の排気流は、出口経路７２、左嵌合軸室８０、左側回動軸８３を経て、本体入口７５より電動送風機１３へと送られる。また、電動送風機１３以降の排気流の流れは前述の第１の実施の形態と同様である。
【００５５】
このようにして、中空の右側回動軸８２と左側回動軸８３に吸気通路が形成されているので、吸気経路１２と入口経路７１との間、および、出口経路７２と本体入口７５との間に別途管部材を設ける必要がない。このため、部品点数を削減できるので、電気掃除機全体を軽量化し、操作性の向上を図ることができる。
【００５６】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００５７】
【図１】本発明の第１の実施の形態の電気掃除機を右前方から見た斜視図である。
【図２】本発明の第１の実施の形態の電気掃除機を右後方から見た斜視図である。
【図３】図１と図２に示す電気掃除機の水平方向に沿った断面の一部を示す横断面図である。
【図４】図１と図２に示す電気掃除機の垂直方向に沿った側断面の一部を示す側断面図である。
【図５】図４の符号２４で示す部分を拡大して示す部分拡大側断面図である。
【図６】本発明の第２の実施の形態の電気掃除機の非運転時における右側面図である。
【図７】本発明の第２の実施の形態の電気掃除機の浮上時における右側面図である。
【図８】本発明の第３の実施の形態の電気掃除機の垂直方向に沿った側断面の一部を示す側断面図である。
【図９】本発明の第４の実施の形態の電気掃除機における吸込口体の垂直方向に沿った側断面を示す側断面図である。
【図１０】本発明の第５の実施の形態の電気掃除機を右前方から見た斜視図である。
【図１１】本発明の第５の実施の形態の電気掃除機を左前方から見た斜視図である。
【図１２】図１０と図１１に示す電気掃除機の垂直方向に沿った側断面を示す側断面図である。
【図１３】図１０と図１１に示す電気掃除機の水平方向に沿った断面の一部を示す横断面図である。
【図１４】図１０と図１１に示す電気掃除機における集塵装置周辺の垂直方向に沿った縦断面を示す縦断面図である。
【図１５】従来の電気掃除機を示す概略的な断面図である。
【符号の説明】
【００５８】
１：本体部
２：吸込口体
３：操作用把持部
４：床面
８：集塵装置
９：嵌合軸
１１，５１：カバー体
１２：吸込通路
１３：電動送風機
１４，７７：集塵室
１６：排気出口
２２：吸込口
２３，３３，７４：車輪
２４：連結部
２５：保持部
２６：係止部
２７ａ：保持部上面
２７ｂ：保持部下面
２８：係止部下面
２９：下端部
３０：吸気吸込室
３１：延長管
３２：回動部
３４：回動軸
３５：軸受部
４１：本体連結軸
４２：吸込連結軸
４３：連結体
５２：下弾性体係止部
５３：上弾性体係止部
５４：コイルバネ
６１：排気収容室
６２：排気流
６３：排気回収口
６４：排気通路
７１：入口経路
７２：出口経路
７６：右嵌合室軸
７８：排気筒
７９：排気筒出口室
８０：左嵌合軸室
８１：隔壁
８２：右側回動軸
８３：左側回動軸
１００，２００，３００，４００，５００：電気掃除機
【図１】
2005348911.tif 000003
【図２】
2005348911.tif 000004
【図３】
2005348911.tif 000005
【図４】
2005348911.tif 000006
【図５】
2005348911.tif 000007
【図６】
2005348911.tif 000008
【図７】
2005348911.tif 000009
【図８】
2005348911.tif 000010
【図９】
2005348911.tif 000011
【図１０】
2005348911.tif 000012
【図１１】
2005348911.tif 000013
【図１２】
2005348911.tif 000014
【図１３】
2005348911.tif 000015
【図１４】
2005348911.tif 000016
【図１５】
2005348911.tif 000017